(57)【要約】      （修正有）【課題】工程が少なく産性が良く、製作費用（製作コスト）を大幅に低減することが出来且つゴミ処する際の廃棄量が少なく資源の有効活用も図ることのできる書類ホルダ兼用包用袋とその製造方法を提供する。【解決手段】原反シート１のロールから繰り出されるシートを横幅の短い一方のシート２と横幅の長い他方のシート３とに縦折りに重ね、折り部１ａを一方のシールとし、折り部１ａとは反対側の横幅の短い一方のシート２の端部と横幅の長い他方のシート３の端部との間のみを開口部５とし、両面接着テープを一方のシート２の開開口部５近傍に縦方向に接着し、両面接着テープの近傍の縦方向と縦方向一定間隔置いた横方向とにミシン目７ａ，７ｂを設け、横方向のミシン目７ｂの近傍を超音波溶断又は熱溶断することにより二重シート材の折り部１ａと隣り合う両側をシールした構成の書類ホルダ兼用包装用袋とする。【選択図】図２
2008127039.tif 000002
【特許請求の範囲】
【請求項１】
原反シートのロールから繰り出されるシートを横幅の短い一方のシートと横幅の長い他方のシートとに縦折りに重ねて折り部を一方のシールとすると共に、折り重ねた折り部とは反対側の横幅の短い一方のシートの端部と横幅の長い他方のシートの端部との間のみを開放した帯状の二重シートを形成し、
両面接着テープを横幅の短い一方のシートの開放側近傍に縦方向に接着し、
両面接着テープの折り部側の近傍の縦方向と縦方向一定間隔置いた横方向とにミシン目を設け、
該横方向のミシン目の近傍のシート繰り出し側を超音波溶断又は熱溶断することにより二重シート材の折り部と隣り合う両側をシールし、折り重ねたシートの折り部の反対側を開口部としたことを特徴とする書類ホルダ兼用包装用袋。
【請求項２】
原反シートのロールから繰り出されるシートを横幅の短い一方のシートと横幅の長い他方のシートとに縦折りに重ねて折り部を一方のシールとすると共に、折り重ねた折り部とは反対側の横幅の短い一方のシートの端部と横幅の長い他方のシートの端部との間のみを開放した帯状の二重シートを形成し、
両面接着テープを前記横幅の短い一方のシートの開放側端部近傍に縦方向に接着しつつ共に移動させ、両面接着テープの折り部側の近傍の縦方向と縦方向一定間隔おいた横方向とにミシン目を設け、該横方向のミシン目の繰り出し側を超音波溶断或いは熱溶断することにより二重シート材の折り部と隣り合う両側をシールし、折り重ねたシートの折り部の反対側を開口部としたことを特徴とする書類ホルダ兼用包装用袋の製造方法。
【請求項３】
前記両面接着テープの代わりに横幅の短いシートの開放側近傍に接着剤を帯状に塗布し、該接着剤の上に該接着剤層を覆う帯状の剥離紙を接合したことを特徴とする請求項１に記載の書類ホルダ兼用包装用袋又は請求項２に記載の書類ホルダ兼用包装用袋の製造方法。
【発明の詳細な説明】
【技術分野】
【０００１】
本発明は、書類を入れて持ち運んだり、郵便物やメール便の封筒として使用可能な包装用袋であり且つ開封した後も書類ホルダとして使用することの出来る書類ホルダ兼用包装用袋とその製造方法に関する。
【背景技術】
【０００２】
ダイレクトメール等に使用し開封した後、クリアホルダ等の書類ホルダとして使用可能な書類ホルダ兼用包装用袋は従来から幾つか提案されている。例えば、図８に示すように、表側シート（１１）および裏側シート（１２）から構成され、内部に被封入体（１８）が封入される一方、前記表側シート及び／又は裏側シートの側縁部位には開封部が設けられ、該開封部から開封することによって被封入体（１８）が取り出し可能であるとともに、ホルダー類が得られるようにしたことを特徴とする封入構造体１０が知られている。この場合、封入体を封入した後は帯状固着部（１３，１４，１５）で密封し、開封する際にはマイクロミシン目（１６，１７）で切り離し、書類ホルダ部（２０）とするものである（特許文献１）。
【０００３】
或いは、図９に示すように、表裏一対のシートを有し、この表裏一対のシートにおいて、その左側端縁同士を連結する左側端部（１０ａ）と、その右側端縁同士を連結する右側端部（１０ｂ）と、その下端縁同士を連結する下端部（１０ｄ）と、その上端縁間に開口部（１０ｃ）とを有する封筒（１０）であって、開口部（１０ｃ）の内方に上下分離部（２１ａ，２１ｂ）が形成されており、上下分離部（２１ａ，２１ｂ）と下端部（１０ｄ）との間において、上下分離部（２１ａ，２１ｂ）と下端部（１０ｄ）を結ぶように側方分離線（２２ａ，２２ｂ）が形成され、これら上下分離部（２１ａ，２１ｂ）と側方分離線（２２ａ，２２ｂ）で切り離すと、書類を保持するファイル部１１が形成される封筒が知られている（特許文献２）。
【０００４】
特許文献１      特開２００６−２７６５２
特許文献２      実用新案登録第３１０４７８２号
【０００５】
上記するように、郵便物やメール便として使用する場合封筒として使用し、その後（開封後）書類ホルダとして使用可能な書類ホルダ兼用包装用袋は幾つか提案されている。このような書類ホルダ兼用包装用袋は、廃棄物を減らし、資源の有効利用を図ろうとする観点から提案されたもので、主としてポリエチレン樹脂やポリプロピレン樹脂等の合成樹脂で製作される。
【発明の開示】
【発明が解決しようとする課題】
【０００６】
前記特許文献１の場合は、一枚一枚表側シート部（１１）と裏側シート部（１２）とを折り線（１９）で二つに折り込んで表裏一対の袋を形成し、切断加工して縦横に帯状固着部（１３，１４，１５）等を設けて固着し封筒（包装用袋）とする必要がある。また、特許文献２においても、一枚づつ表裏一対のシート（２，３）を形成し、左側端部（１０ａ）と右側端部（１０ｂ）と下端部（１０ｄ）とを設けるが、この特許文献２の図２にも示すように、展開シートの中心線（１ａ）の左右にシート（２）と（３）を設け、さらにシート（２）の上部にフラップ（１０ｒ）を形成しなければならない。従って、これらのホルダ兼用の包装用袋は製作に手間がかかり、量産性に問題があり、コストアップは免れない、という難点がある。
この発明は、上記課題に対処するためになされたものであり、工程が少なく量産性が良く、製作費用（製作コスト）を大幅に低減することが出来且つゴミ処理する際の廃棄量が少なく資源の有効活用も図ることのできる書類ホルダ兼用包装用袋とその製造方法を提供することを目的としている。
【課題を解決するための手段】
【０００７】
本発明は、上記する課題を解決するために、請求項１に記載の発明は、書類ホルダ兼用包装用袋が、原反シートのロールから繰り出されるシートを横幅の短い一方のシートと横幅の長い他方のシートとに縦折りに重ねて折り部を一方のシールとすると共に、折り重ねた折り部とは反対側の横幅の短い一方のシートの端部と横幅の長い他方のシートの端部との間のみを開放した帯状の二重シートを形成し、
両面接着テープを横幅の短い一方のシートの開放側近傍に縦方向に接着し、
両面接着テープの折り部側の近傍の縦方向と縦方向一定間隔置いた横方向とにミシン目を設け、
該横方向のミシン目の近傍のシート繰り出し側を超音波溶断又は熱溶断することにより二重シート材の折り部と隣り合う両側をシールし、折り重ねたシートの折り部の反対側を開口部としたことを特徴とするものである。
【０００８】
また、請求項２に記載の発明は、書類ホルダ兼用包装用袋の製造方法が、原反シートのロールから繰り出されるシートを横幅の短い一方のシートと横幅の長い他方のシートとに縦折りに重ねて折り部を一方のシールとすると共に、折り重ねた折り部とは反対側の横幅の短い一方のシートの端部と横幅の長い他方のシートの端部との間のみを開放した帯状の二重シートを形成し、
両面接着テープを前記横幅の短い一方のシートの開放側端部近傍に縦方向に接着しつつ共に移動させ、両面接着テープの折り部側の近傍の縦方向と縦方向一定間隔おいた横方向とにミシン目を設け、該横方向のミシン目の繰り出し側を超音波溶断或いは熱溶断することにより二重シート材の折り部と隣り合う両側をシールし、折り重ねたシートの折り部の反対側を開口部としたことを特徴とするものである。
【０００９】
更に、請求項３に記載の発明は、前記両面接着テープの代わりに横幅の短いシートの開放側近傍に接着剤を帯状に塗布し、該接着剤の上に該接着剤層を覆う帯状の剥離紙を接合したことを特徴とするものである。
【発明の効果】
【００１０】
本発明の書類ホルダ兼用包装用袋とそのの製造方法によれば、作業工程を大幅に低減することができる。また、人手も最小限で済み流れ作業により量産しやすいので多量生産に向き、その分製作コストを大幅に低減することができる。また、廃棄する部分も少なく、ゴミをへ減らし、資源の有効利用に大きく貢献することができる。
【発明を実施するための最良の形態】
【００１１】
図１は、本発明に係る書類ホルダ兼用包装用袋の正面図であり、図２は全体斜視図である。この書類ホルダ兼用包装用袋は、一方（表側）のシート２と、他方（裏側）のシート３（便宜上、一方を表側、他方を裏側とするが、便宜上であり、いずれの側が表側であっても、裏側であっても良い）と、前記表側シート２に接着する両面接着テープ４と、で構成される。そして、前記表側シート２の横幅Ｄ１は裏側シート３の横幅Ｄ２より少し短くして折り部１ａで二つ折りとし、該折り部１ａと隣り合う上端部１ｂと、下端部１ｃとを密封シールし、表側シート２の端部２ａ及び裏側シートの端部３ａとの間のみ開放して内部へ書類等を入れるための開口部５が設けてある。前記両面接着テープ４は表側シート２の開口部５近傍に縦方向に接着してある。勿論、前記表側シート２の横幅Ｄ１と裏側シート３の横幅Ｄ２とは同一幅であっても良い。前記上端部１ｂと下端部１ｃとのシール方法としては、後述するように、熱溶断或いは超音波切断する際同時に切り口がシールされることを利用する。また、この書類ホルダ兼用包装用袋には両面接着テープ４の折り部１ａ側と上部端部１ｂの近くにミシン目７ａ、７ｂが入れてある。
尚、シートとしては、樹脂フィルム、紙、植物（トウモロコシ等）製樹脂材料、不織布等を含むものである。要するに、封筒や包装用袋として使用できるものはすべて製作可能である。
【００１２】
次に、本発明に係る書類ホルダ兼用包装用袋の製造工程について説明する。
図３は、この書類ホルダ兼用包装用袋の製造工程の一部を示す斜視図である。当初、材料となる樹脂材、例えば合成樹脂製の原反フィルムシート１（以下、単に原反シート１とする）を巻回したロール８と、別個に両面テープ４を巻いたロール９とを配置してある。先ず、合成樹脂製の原反シート１は、ロール８から繰り出されつつ作業台（図示省略）上に繰り出し、横幅の短い表側シート２と、横幅の長い裏側のシート３とに縦折りに重ねて折り部１ａを一方のシールとすると共に、折り重ねた折り部とは反対側の横幅の短い一方のシートの端部２ａと横幅の長い裏側シート３の端部３ａとの間が開放されるように折り部１ａで折りつつ移動させて行く。このとき、両面接着テープ４はロール９から繰り出され、表側シート２の開放部の近傍で接着させつつ移動させる。図４（Ａ）は、図３のＸーＸ矢視断面図であり、表側シート２に両面接着テープ４を接着した状態の断面図であるが、該両面接着テープ４は、図４（Ｂ）の拡大断面図に示すように、剥離紙４ａと接着層４ｂとから成り、表側シート２に接着する際には、ロール９から繰り出す際一番下側の剥離紙を剥いで接着して行く。
【００１３】
また、図５に示すように、合成樹脂製のシート１を折り部１ａで折り曲げ、両面接着テープ４を接着させると、長い帯状の二重シートが形成が形成される。そして、この帯状の二重シートの状態で両面接着テープ４の内側（折り部１ａ側）の近傍の縦方向と、縦方向一定間隔ごとの横方向とにミシン目７ａ、７ｂを入れ、その後横方向のミシン目７ｂのシート繰り出し側に超音波カッタ或いは熱溶断カッタ１０で適宜の一定の長さＬに切断する。或いは、先に切断された状態でミシン装置によりミシン目７ａ、７ｂを入れるようにしても良い。
【００１４】
上記方法によって製作されたこの発明の書類ホルダ兼用包装用袋は、次のように使用される。
即ち、図６に示すように、書類を郵便或いはメール便として送付する場合には開口部５（図２参照）より書類Ｍを入れ、両面接着テープ４の剥離紙４ａを剥離して浦側シート３のフラップ３ｆを折れ線３ｃで折り、接着する。こうして、包装用袋或いは封筒として郵便やメール便で送付することが出来る。
【００１５】
次に、郵便物やメール便として使用された包装用袋或いは封筒は、図７（Ａ）に示すように、ミシン目７ａ、７ｂで破断すると、表側シート２と裏側シート３とのみが残り、且つ片側の折り部１ａと、溶着した端部１ｃのみが繋がった状態で残り、図７（Ｂ）に示すように、ミシン目７ｂであった上側の端部と同じくミシン目７ａであった片側端部（右端部）とが開口された状態となり、書類保持用の書類ホルダとして使用することができる。従って、捨てる部分は、図１で示せば、ミシン目７ａ、７ｂの外側の上部端切れ部１１及び接着テープ４で接着した片側（右側）端切れ部１２のみとなり廃棄する部分を大幅に少なくして有効利用することができる。
【００１６】
この発明の書類ホルダ兼用包装用袋とその製造方法は以上のようであるが、勿論、包装用袋或いは封筒として使用しない状態（図１の状態）で、書類ホルダとしてそのまま使用することもできる。また、両面接着テープ４は、表側シート２の端部に設けたが、裏側シート３の糊代（フラップ部３ｆ）のある幅の長い側に接着しても良い。
【００１７】
尚、上記説明では、両面接着テープ４を一方（表側）のシート２に接着したが、この両面接着テープ４の代わりに、縦長の帯状に接着剤を塗布し、該塗布された接着剤の上に帯状の剥離紙４ａと同様の剥離紙で覆うようにして帯状の長い二重シートを作り、縦方向と横方向にミシン目７ａ、７ｂを入れ且つ超音波溶断或いは熱溶断により縦方向に一定間隔ごとに切断と溶着で書類ホルダ兼用包装用袋を製作しても良い。
【産業上の利用可能性】
【００１８】
本発明は、包装用袋に書類ホルダの機能を持たせたことから、包装用袋を製造販売する業界だけでなく、包装用袋を使用する業界においても大きく貢献することになる。また、資源の有効利用を図ることができることから産業上の利用可能性は大いにあると言える。
【図面の簡単な説明】
【００１９】
【図１】本発明に係る書類ホルダ兼用包装用袋の正面図である。
【図２】本発明に係る書類ホルダ兼用包装用袋の全体斜視図である。
【図３】本発明に係る書類ホルダ兼用包装用袋の製造工程の一部を示す斜視図である。
【図４】図４（Ａ）は、本発明に係る書類ホルダ兼用包装用袋の製造工程における両面接着テープを接着した状態の図３のＸーＸ矢視断面図であり、図４（Ｂ）は両面接着テープ部分の拡大断面図である。
【図５】本発明に係る書類ホルダ兼用包装用袋の製造工程の一部を示す斜視図であって、二重シート状態となった帯状のシートにミシン目を入れ、超音波切断或いは熱溶断する工程を示す図である。
【図６】本発明に係る書類ホルダ兼用包装用袋を、そのまま書類を郵便或いはメール便として送付する場合の状態を示す正面図である。
【図７】図７（Ａ）は、郵便物やメール便として使用された本発明の書類ホルダ兼用包装用袋をミシン目で破り、書類ホルダとして使用する場合の正面図であり、図７（Ｂ）は、同じく書類ホルダとして使用する場合の斜視図である。
【図８】従来の書類ホルダ兼用包装用袋の正面図である。
【図９】従来の書類ホルダ兼用包装用袋の正面図である。
【符号の説明】
【００２０】
１    原反フィルムシート
１ａ  折り部
１ｂ  上端部
１ｃ  下端部
２    一方（表側）シート
３    他方（裏側）シート
４    両面接着テープ
５    開口部
７ａ  縦方向のミシン目
７ｂ  横方向のミシン目
８    原反シートロール
９    両面接着テープロール
１０  超音波又は熱溶断カッタ
【図１】
2008127039.tif 000003
【図２】
2008127039.tif 000004
【図３】
2008127039.tif 000005
【図４】
2008127039.tif 000006
【図５】
2008127039.tif 000007
【図６】
2008127039.tif 000008
【図７】
2008127039.tif 000009
【図８】
2008127039.tif 000010
【図９】
2008127039.tif 000011